(57)【要約】      （修正有）【課題】テレビやモニタ等の設置対象に付属するＡＣアダプタやハードディスク等の周辺機器を正面から見えない位置に配置することが可能でありかつ、設置対象を設置した状態で変更や追加が簡便に可能な壁掛け器具を提供する。【解決手段】壁面に固定されるベース部１と、設置対象に装着されベース部１に着脱可能なブラケット部２と、を備え、ベース部１は、壁面に固定される固定面１１と、設置対象の周辺機器を載置可能な載置面１２と、ブラケット部２が固定される固定部１６と、を有し、載置面１２は、ベース部１の上方寄りに配置されている。【選択図】図１
0003218421.tif 000002
【実用新案登録請求の範囲】
【請求項１】
壁面に固定されるベース部と、
設置対象に装着され前記ベース部に着脱可能なブラケット部と、を備え、
前記ベース部は、前記壁面に固定される固定面と、
前記設置対象の周辺機器を載置可能な載置面と、
前記ブラケット部が固定される固定部と、を有し、
前記載置面は、前記ベース部の上方寄りに配置されていることを特徴とする、壁掛け器具。
【請求項２】
前記載置面は、前記固定面上端に略直角に設けられ、
前記固定部は、前記ベース部の上方寄りに設けられ前記ブラケット部が掛けられるブラケット受部と、
前記ベース部の下方寄り設けられ前記ブラケット部が固定されるブラケット固定部と、を有していることを特徴とする、請求項１に記載の壁掛け器具。
【請求項３】
前記固定面と前記載置面と前記固定部とは、一体成型されていることを特徴とする、請求項１又は請求項２に記載の壁掛け器具。
【請求項４】
前記ベース部は、前記載置面に載置した前記周辺機器に接続されたケーブルを挿通する複数の挿通孔を有していることを特徴とする、請求項１〜３の何れかに記載の壁掛け器具。
【請求項５】
前記載置面は、前記周辺機器の落下を防止する落下防止部を有していることを特徴とする、請求項１〜４の何れかに記載の壁掛け器具。
【請求項６】
前記ブラケット部は、前記設置対象を装着する装着部と、
前記固定部に取り付ける取付部と、
前記装着部と前記取付部との相対角度を調整する角度調整機構と、を有していることを特徴とする、請求項１〜請求項５の何れかに記載の壁掛け器具。
【請求項７】
前記角度調整機構は、前記装着部と前記取付部とを接続する２つの接続軸と、
前記接続軸が通る２つの軸孔と、を備え、
前記２つの軸孔は、中央が湾曲した略楕円形に形成され同心円上に設けられていることを特徴とする、請求項６に記載の壁掛け器具。
【考案の詳細な説明】
【技術分野】
【０００１】
本考案は、テレビやモニタ等のＡＶ機器を壁面等に取り付けるための壁掛け器具に関するものである。
【背景技術】
【０００２】
テレビやモニタ等のＡＶ機器は、床や机、専用の台等に設置して使用することが一般的である。しかしながら、設置高さによる視認性の悪さや専用の台を使用する場合にもスペースを占有してしまう等の問題が挙げられる。
そこで、前述のＡＶ機器を壁面に固定する壁面取付け器具が提案されている。壁面に取り付けが可能となることにより、床等のスペースを有効に活用できる。
【０００３】
一方では、ＡＶ機器に接続し、録画やデータ保存用に使用するハードディスク等や電源用のアダプタ等の周辺機器を置くスペースが別途必要となり、さらに専用の台等では目隠しまたは整頓して収納されていた上記の周辺機器がむき出しの状態になる問題がある。
これらの問題に対処するため例えば、特許文献１には、薄型の液晶テレビ等を壁面への取り付けを可能とし、壁面と液晶テレビとの間に接続機器用収納ボックスを設けた壁面取付け金具の技術が提案されている。この特許文献１に記載の装置は、薄型の液晶テレビ等を壁面へ取り付けることが可能であり、さらに周辺機器を壁面とテレビとの間に設けられた接続機器用収納ボックスに収納し、表面から見えない位置に設置することができる。
【先行技術文献】
【特許文献】
【０００４】
【特許文献１】実用新案登録第３１７３６５３号公報
【考案の概要】
【考案が解決しようとする課題】
【０００５】
しかしながら、特許文献１に記載の技術は、周辺機器を接続機器用収納ボックスに収納してから薄型液晶テレビ等設置対象の取り付けを行う必要があり、周辺機器の追加や変更を行う際には、設置対象をその都度取り外す手間が掛かる等の問題がある。
【０００６】
本考案は、以上のような点を考慮してなされたものであり、テレビやモニタ等の設置対象に付属するＡＣアダプタやハードディスク等の周辺機器を正面から見えない位置に配置することが可能でありかつ、設置対象を設置した状態で変更や追加が簡便に可能な壁掛け器具を提供することを課題とする。
【課題を解決するための手段】
【０００７】
上記課題を解決するため、本考案では以下の手段を採用した。
本考案の好ましい形態では、壁面に固定されるベース部と、設置対象に装着され前記ベース部に着脱可能なブラケット部と、を備え、前記ベース部は、前記壁面に固定される固定面と、前記設置対象の周辺機器を載置可能な載置面と、前記ブラケット部が固定される固定部と、を有し、前記載置面は、前記ベース部の上方寄りに配置されていることを特徴とする。
【０００８】
本考案に係る壁掛け器具によれば、ベース部とブラケット部の２つ構成要素からなる壁掛け器具であるため、部材数が少なく、製造面で有利となる。また、載置面を有していることにより、設置対象に接続されるアダプタや録画機器等の周辺機器を載置面に置く形式であるため、周辺機器の変更や追加を簡便に行うことができる。
【０００９】
本考案の好ましい形態では、前記載置面は、前記固定面上端に略直角に設けられ、前記固定部は、前記ベース部の上方寄りに設けられ前記ブラケット部が掛けられるブラケット受部と、前記ベース部の下方寄り設けられ前記ブラケット部が固定されるブラケット固定部と、を有していることを特徴とする。
このように、載置面が固定面上端に略直角に設けられ、ベース部にブラケットが固定されるブラケット受部とブラケット固定部が設けられていることにより、周辺機器を載せやすく落ちにくい壁掛け器具となり、ブラケットの固定も容易に可能となる。また、固定面全体で力を分散することができるため、設置対象の自重に加え、ブラケットに作用するモーメントを受け持つことができる。
【００１０】
本考案の好ましい形態では、前記固定面と前記載置面と前記固定部とは、一体成型されていることを特徴とする。
このように、ベース部の固定面、載置面、固定部が一体形成されていることにより、頑丈なベース部が形成でき、製造においても溶接等による接続の工程を減らすことができる。
【００１１】
本考案の好ましい形態では、前記ベース部は、前記載置面に載置した前記周辺機器に接続されたケーブルを挿通する複数の挿通孔を有していることを特徴とする。
このように、周辺機器に接続されたケーブル等を挿通する挿通孔を有していることにより、美観に優れた壁掛け器具となり、さらに周辺機器の排熱も可能となる。
【００１２】
本考案の好ましい形態では、前記載置面は、前記周辺機器の落下を防止する落下防止部を有していることを特徴とする。
このように、落下防止部を有していることにより、載置した周辺機器が落下することを防止することができるだけでなく、より閉じた形を形成することができるため、さらに強度を増した構造となる。
【００１３】
本考案の好ましい形態では、前記ブラケット部は、前記設置対象を装着する装着部と、前記固定部に取り付ける取付部と、前記装着部と前記取付部との相対角度を調整する角度調整機構と、を有していることを特徴とする。
このように、装着部と取付部が角度調整機構を有して接続されていることにより、設置対象の角度を簡単に変えることができる。
【００１４】
本考案の好ましい形態では、前記角度調整機構は、前記装着部と前記取付部とを接続する２つの接続軸と、前記接続軸が通る２つの軸孔と、を備え、前記２つの軸孔は、中央が湾曲した略楕円形に形成され同心円上に設けられていることを特徴とする。
このように、中央が湾曲した略楕円形の軸孔が同心円上に２つ設けられていることで、設置対象の重力方向と異なる方向に軸孔が湾曲して設けられるため、装着部が固定された状態においても少し力を加えると滑らかに動くことができ、設置対象を外さずに角度の調整ができる。
【考案の効果】
【００１５】
開示した技術によれば、テレビやモニタ等の設置対象に付属するＡＣアダプタやハードディスク等の周辺機器を正面から見えない位置に配置することが可能でありかつ、設置対象を設置した状態で変更や追加が簡便に可能な壁掛け器具を提供することができる。
【００１６】
他の課題、特徴及び利点は、図面及び実用新案登録請求の範囲とともに取り上げられる際に、以下に記載される考案を実施するための形態を読むことにより明らかになるであろう。
【図面の簡単な説明】
【００１７】
【図１】本考案の一実施形態に係る壁掛け器具の斜視図である。
【図２】本考案の一実施形態に係る壁掛け器具の背面図である。
【図３】本考案の一実施形態に係るブラケットの斜視図である。
【図４】本考案の一実施形態に係る壁掛け器具に周辺機器の載置状態を示す説明図である。
【考案を実施するための形態】
【００１８】
以下、本考案を図面に示した好ましい一実施形態について図１〜図４を参照して説明する。本考案の技術的範囲は、添付図面に示した実施形態に限定されるものではなく、実用新案登録請求の範囲に記載された範囲内において、適宜変更が可能である。
【００１９】
図１は本実施形態に係る壁掛け器具Ｍを斜め上方から観察した斜視図である。
本考案の一実施形態に係る壁掛け器具Ｍは、壁面Ｗに固定されるベース部１とテレビやモニタ等の設置対象Ｔを装着するブラケット部２とを備えている。
ベース部１は、壁面Ｗにボルト等により固定される固定面１１と、録画用のハードディスクやアダプタ等の周辺機器Ｐを載置する載置面１２と、後述するブラケット部２を固定するブラケット固定部１３１が設けられる補助面１３と、ブラケット部２が固定される固定部１６とを有している。
【００２０】
本実施形態では、設置対象Ｔをテレビやモニタ等のＡＶ機器を想定して考案されたものであるが、映像を投影するプロジェクタやスピーカー等の電子機器も壁掛けの対象とすることができる。
また、想定される周辺機器Ｐも本実施形態で示すアダプタやハードディスクに限らず、セットトップボックスや録画機能を有する機器等を置くこともできる。
【００２１】
周辺機器Ｐを載置する載置面１２は、固定面１１の上端に略直角に設けられ、補助面１３は、固定面１１の下端に載置面１２に対向するように設けられている。載置面１２には、固定部１６でありブラケット部２が掛かるブラケット受部１２１と、周辺機器Ｐの落下防止用に落下防止部１２２が設けられている。また、補助面１３には、固定部１６でありブラケット部２が固定されるブラケット固定部１３１が設けられている。なお、ブラケット受部１２１は、本実施形態のように載置面１２に落下防止部１２２が設けられている場合には、部材に穴等を加工して設ける必要がなく、直接落下防止部１２２に設けることができる。
【００２２】
本実施形態では、落下防止部１２２を壁面Ｗ側以外の３面に設けた例を示しているが、載置する周辺機器Ｐにより適宜変更してよい。例えば、壁面Ｗから略垂直に設けられた落下防止部１２２の２つの側面を開放することにより、簡便に周辺機器Ｐの出し入れや、配線をより簡便に行うことができる。
【００２３】
また、補助面１３は、ブラケット部２の長さにも依存するため、固定面１１の下端に設けられている必要はないが、図１に示すように固定面１１の下端に設けることにより、固定面１１が受け持つ力を分散できる領域が広くなる。つまり、載置面１２と補助面１３が固定面１１の上下両端部に設けられていることにより、設置対象Ｔの重さ及び、ブラケット部２にかかる設置対象Ｔの重さによるモーメントに対向する力が最大となる。このため、本実施形態に示すように、補助面１３は、固定面１１の下端に載置面１２に対向するように設けられていることが好ましい。
【００２４】
図１に示すように、載置面１２及び補助面１３には、載置面１２に載置される周辺機器Ｐに接続する電源ケーブルや信号ケーブル等を挿通することができる複数の挿通孔１４が設けられている。挿通孔１４は、周辺機器Ｐが発する熱の排熱を可能とすることも考慮されて設けられている。
なお、挿通孔１４は、ケーブル等を挿通することが主目的であるため、形や大きさに制限は設けていないが、大きすぎると周辺機器Ｐ設置時に安定性を損なう可能性が考えられため、例えば挿通孔１４の直径を載置面１２短辺の６０％以下に設定する等が考えられる。また、本実施形態では、挿通孔１４を載置面１２と補助面１３に各４個ずつ設けた例を示しているが、載置する周辺機器Ｐのケーブルの数や大きさ等を考慮して設定することが好ましい。挿通孔１４を多く設けることにより、壁掛け器具Ｍの軽量化を図ることもできる。
【００２５】
図２は本実施形態に係る壁掛け器具Ｍの背面図である。固定面１１には、壁面Ｗにボルト等によって固定されるため、様々なサイズのボルトに対応するため楕円形に形成された固定孔１５が複数個設けられている。壁掛け器具Ｍをボルト等で固定する際は、設置対象Ｔの重さにも耐えられなくてはならないため、柱に固定することが好ましい。例えば、石膏ボード等による壁面Ｗに壁掛け器具Ｍを固定する際は、柱と間柱の間隔である４５５ｍｍの間隔でボルト留めすることが考えられるため、固定孔１５は、少なくとも４５５ｍｍ間隔で設けられていることが好ましく、さらに細かい間隔で設けられている方が強度を増すことができる。また、固定面１１には、図１に示すように、上下の向きが一目でわかるような目印１１１を設けても良い。
【００２６】
図３は本実施形態に係るブラケット部２を斜め下方から観察した斜視図を示している。ブラケット部２は、設置対象Ｔを装着する装着部２１と固定部１６に取り付けるための取付部２２とを有している。
装着部２１は、設置対象Ｔに固定される装着面２１１と、装着面２１１の長辺から略直角方向に立ち上がり、強度を高める効果を有する２つの立ち上がり面２１２を有し、取付部２２が内空間に嵌って接続可能とするようにコの字型に形成されている。
【００２７】
装着面２１１上方及び下方には、設置対象Ｔを装着するための装着孔２１３が複数設けられている。なお、本実施形態において装着孔２１３は、円形と楕円形の２種類を示し、上方に円形、下方に楕円形を設けた例を示しているが、これは、装着部２１は上下を反転して用いることも可能であることを考慮し、様々な取付形態の設置対象Ｔに対応するためである。
この装着孔２１３は、様々な設置対象Ｔに対応させるため、上方、下方とも円形又は楕円形と統一して上方と下方で径や配置間隔を変えても良い。
【００２８】
また、装着部２１と取付部２２は、接続軸２１４を用いて接続される。そのため、立ち上がり面２１２中央部分には、接続軸２１４が挿通される軸孔２１５が設けられている。この接続軸２１４と軸孔２１５の組み合わせを用いることにより、装着部２１と取付部２２は、取付部２２に対する装着部２１の相対角度を調整可能に接続される。つまり、設置対象Ｔを設置したまま、簡便に角度を調整することが可能となる。この接続軸２１４と軸孔２１５による接続を角度調整機構Ｓとする。
【００２９】
本実施形態では、角度調整機構Ｓが２ヶ所に設けられている。中央が湾曲した略楕円に形成され、接続軸２１４がその形状に合わせて同心円上にスライドするため、滑らかな動きを可能としている。また、角度調整機構Ｓは、同心円上に設けられており、本実施形態では半円を描くように設けられている。つまり、立ち上がり面２１２の重心を通り、壁面Ｗに垂直な中心線Ｃを基準として線対称の位置に設けられている。また、一方の角度調整機構Ｓにはねじ等による締緩機構Ｆが設けられている。
【００３０】
設置対象Ｔをブラケット部２に固定した際に、設置対象Ｔの重さによりブラケット部２が動かないようにこの締緩機構Ｆを操作して固定する。設置対象Ｔの自重は重力方向に作用し、軸孔２１５は中央が湾曲した略楕円に形成されているため、接続軸２１４のスライド方向と一致しない。そのため、設置対象Ｔの自重のみで角度調整機構Ｓは作用しないが、外部から同心円方向に力を加えることで角度調整機構Ｓが作用し、設置対象Ｔを取り外すことなく、角度を簡単に調節することができる。
【００３１】
本実施形態では、一方の角度調整機構Ｓに設けられた締緩機構Ｆにより装着部２１を固定しているが、２つの角度調整機構Ｓに均等に力をかけることができる構成も考えられる。そのために、２つの角度調整機構Ｓには締緩機構Ｆを設けず、それらの間にさらに固定を目的とした締緩機構Ｆを有する接続軸２１４及び軸孔２１５を設けても良い。なお、追加する軸孔２１５は、角度調整ではなく締緩目的とするため、接続軸２１４の回転のみを許す円形であることが好ましい。
【００３２】
取付部２２は、載置面１２に掛止する掛部２２１と補助面１３に固定する留部２２２と接続軸２１４が挿通する接続部２２３とを有している。なお、取付部２２は、装着部２１のコの字空間に嵌って接続されるため、装着部２１よりも幅狭に形成されているが、接続軸２１４の締めつけにより装着部２１の動きを制御するため、取付部２２と装着部２１との間の隙間はスペーサー等で埋めることが好ましい。
【００３３】
図４は本実施形態に係る壁掛け器具Ｍに周辺機器Ｐを設置した状態を示す説明図である。破線で設置対象Ｔを示している。載置面１２に周辺機器Ｐ（ここではハードディスクを例として示している）が配置され、電源ケーブルとデータ通信ケーブルが挿通孔１４を通っている様子が示されている。挿通孔１４により、ばらばらに存在するケーブルを結束バンド等の付加物を設けずにまとめることができる。
【００３４】
固定面１１の上下両端部に載置面１２と補助面１３を略垂直に設ける構造においては、固定面１１と設置対象Ｔの間に空間Ｂが形成されることとなる。例えば、この空間Ｂにはテーブルタップ等を常設することができる。テーブルタップ等を常設することにより、周辺機器Ｐから延びる電源ケーブル等を一つにまとめることができ、正面からテレビを見る際に見える電源ケーブルが１本のみとなる。つまり、空間Ｂにテーブルタップやハブ等の集約機器を設けることで、より美観に配慮した壁掛け器具Ｍを提供することができる。
【００３５】
以上のような構成を有する本実施形態に係る壁掛け器具Ｍでは、ベース部１とブラケット部２から成る部材数の少ない壁掛け器具Ｍが実現できる。部材数を減らすことで、壁掛け器具Ｍ製作過程における作業工程を削減することができ、さらに費用の削減にもつながる。
さらに、ベース部１に設けられる固定面１１と載置面１２及び補助面１３の配置を前述のように特定することにより、載置面１２に周辺機器Ｐを載置することができ、設置対象Ｔを取り外すことなく簡便に周辺機器Ｐの追加や変更が可能となる壁掛け器具Ｍを提供することができる。
【００３６】
また、本考案によれば、載置面１２に複数の挿通孔１４が設けられていることにより、周辺機器Ｐから延びるケーブル等を、付加物を設けずにまとめて電源や接続機器まで誘導することができる。さらに、ケーブル等の接続される場所や種類によって異なる挿通孔１４を使用することができる。このことにより、ケーブル同士が複雑に絡まる等の問題を解消することができる。
【００３７】
また、本考案によれば、載置面１２に載置した周辺機器Ｐの落下を防止するための落下防止部１２２を設けたことにより、載置面１２に載置する周辺機器Ｐが落下する心配を解消することができることに加え、ブラケット部２が接続されるブラケット受部１２１は、部材を加工して作らず、直接落下防止部１２２に設けることができる。さらに、落下防止部１２２を設けることにより、ベース部１の強度を上げる効果を有する。
接続軸２１４と軸孔２１５による角度調整機構Ｓを設けることで、装着部２１は取付部２２に対して角度を調整することが可能となる。つまり、設置対象Ｔの角度調整を設置対象Ｔが設置されたままの状態で、容易に行うことができる。
【００３８】
また、本考案によれば、角度調整機構Ｓにおいて軸孔２１５の中央が湾曲した略楕円に形成され、同心円上に設けられることにより、滑らかに動くことが可能となる。つまり、設置対象Ｔの角度調整が滑らかに可能となる。
さらに中央が湾曲した略楕円形状は、単に滑らかな動きを実現するのみならず、固定力も同時に発揮することができる。設置対象Ｔの自重は重力方向に働くが、軸孔２１５の中央が湾曲していることにより、力の作用方向に引っ掛かり部分があるため、通常の力で固定することが可能である。一方で、固定された部分を解放することなく、軸孔２１５の湾曲方向に力を付加することで設置対象Ｔの角度を変えることができる。つまり、設置対象Ｔを外すことなく、設置対象Ｔの自重を支える耐力を持ちつつ、角度を自在に変えることができる。
【符号の説明】
【００３９】
Ｍ      壁掛け器具
Ｗ      壁面
Ｔ      設置対象
Ｐ      周辺機器
Ｓ      角度調整機構
Ｆ      締緩機構
Ｃ      中心線
Ｂ      空間
１      ベース部
２      ブラケット部
１１    固定面
１２    載置面
１３    補助面
１４    挿通孔
１５    固定孔
１６    固定部
２１    装着部
２２    取付部
１１１  目印
１２１  ブラケット受部
１２２  落下防止部
１３１  ブラケット固定部
２１１  装着面
２１２  立ち上がり面
２１３  装着孔
２１４  接続軸
２１５  軸孔
２２１  掛部
２２２  留部
２２３  接続部
【図１】
0003218421.tif 000003
【図２】
0003218421.tif 000004
【図３】
0003218421.tif 000005
【図４】
0003218421.tif 000006